(57)【要約】【課題】フックを取付部材に容易に取付けることができる留め具、及び当該留め具を備える照明器具を提供する。【解決手段】留め具１０は、フック３０と、取付部材２０とを備える。フック３０は、弾性により開閉するように変位する変位部３１を含む。取付部材２０には、フック３０が引っ掛けられる。取付部材２０は、第一の片２１と第二の片２２とを含む。第一の片２１は、変位部３１が開いた状態であるフック３０が通る孔２５を有する。第二の片２２は、第一の片２１に対して交差する向きに第一の片２１の先端から延びて設けられる。【選択図】図１
2017162744.tif 000002
【特許請求の範囲】
【請求項１】
弾性により開閉するように変位する変位部を含むフックと、
前記フックが引っ掛けられる取付部材とを備え、
前記取付部材は、
前記変位部が開いた状態である前記フックが通る孔を有する第一の片と、
前記第一の片に対して交差する向きに前記第一の片の先端から延びて設けられた第二の片とを含む
ことを特徴とする留め具。
【請求項２】
前記孔は、前記第一の片において、前記第一の片と前記第二の片との境界から、前記フックの前記変位部の変位量の最大の幅と同じ距離離れた位置までの範囲内に設けられていることを特徴とする請求項１記載の留め具。  
【請求項３】
前記孔は、前記第一の片において、前記第一の片と前記第二の片との前記境界に設けられていることを特徴とする請求項２記載の留め具。
【請求項４】
前記第一の片の前記孔の外縁から前記第二の片の外縁までの最短距離は、前記フックの長手方向の長さ以下であることを特徴とする請求項１〜３のいずれか一項に記載の留め具。
【請求項５】
請求項１〜４のいずれか一項に記載の留め具と、
光源と、
前記光源が取付けられる器具本体とを備え、
前記取付部材は、前記器具本体に取付けられており、
前記フックは、前記光源に繋がっている
ことを特徴とする照明器具。
【発明の詳細な説明】
【技術分野】
【０００１】
本発明は一般に、留め具、及び照明器具に関し、より詳細には、照明器具の一部が落下することを防止するために用いられる留め具、及び当該留め具を備える照明器具に関する。
【背景技術】
【０００２】
従来例として特許文献１記載の照明器具落下防止装置を例示する。特許文献１記載の照明器具落下防止装置では、作業者がワイヤーを天井支持材に巻き付けたのち、ワイヤーに付属するフックを手で開閉してワイヤーを留めることにより、工具を使用することなく天井支持材に取付け可能である。
【先行技術文献】
【特許文献】
【０００３】
【特許文献１】特開２００３−３０８７１９号公報
【発明の概要】
【発明が解決しようとする課題】
【０００４】
上記のような、フックを用いる従来の照明器具落下防止装置は、フックを開くために作業者が手で直接フックに圧力を掛けることが必要であって、手に負担がかかり作業性が良くなかった。
【０００５】
本発明では、フックを取付部材に容易に取付けることができる留め具、及び当該留め具を備える照明器具を提供することを目的とする。
【課題を解決するための手段】
【０００６】
上記の課題を解決するために、本発明の一態様に係る留め具は、フックと、取付部材とを備える。前記フックは、弾性により開閉するように変位する変位部を含む。前記取付部材には、前記フックが引っ掛けられる。前記取付部材は、第一の片と第二の片とを含む。前記第一の片は、前記変位部が開いた状態である前記フックが通る孔を有する。前記第二の片は、前記第一の片に対して交差する向きに前記第一の片の先端から延びて設けられる。
【０００７】
本発明の一態様に係る照明器具は、上記の留め具と、光源と、前記光源が取付けられる器具本体とを備える。前記取付部材は、前記器具本体に取付けられており、前記フックは、前記光源に繋がっている。
【発明の効果】
【０００８】
本発明の一態様に係る留め具及び照明器具によれば、フックを取付部材に容易に取付けることができる。
【図面の簡単な説明】
【０００９】
【図１】図１は、本発明の実施形態１に係る留め具の斜視図である。
【図２】図２は、同上の留め具の側面図である。
【図３】図３は、同上の留め具における取付部材の正面図である。
【図４】図４は、同上の取付部材の側面図である。
【図５】図５は、同上の留め具におけるフックの側面図である。
【図６】図６Ａは、本発明の実施形態１に係る照明器具の一部を透過した正面図である。図６Ｂは、図６ＡのＸ１部分の拡大図である。
【図７】図７は、本発明の実施形態２に係る留め具の斜視図である。
【図８】図８は、同上の留め具の側面図である。
【図９】図９は、同上の留め具における取付部材の正面図である。
【図１０】図１０は、同上の取付部材の側面図である。
【発明を実施するための形態】
【００１０】
（実施形態１）
以下、本発明の実施形態１に係る留め具、及び、当該留め具を備える照明器具について、図面を用いて説明する。
【００１１】
また、以下の説明においては、特に断りのない限り、図２において矢印１００で示す向きで、取付部材２０の右向き、左向きを規定する。すなわち、取付部材２０において第一の片２１と第二の片２２とに着目し、第一の片２１と第二の片２２との境界４０を基点に、第二の片２２が伸長する向きを右向き、右向きとは反対の向きを左向きとする。さらに、図２において矢印１０１で示す向きで、取付部材２０の上側、下側、上下方向を規定する。さらに、図１及び図３において矢印１０２で示す向きで、取付部材２０の前後方向を規定する。言い換えれば、図２における紙面の奥行き方向が、ここに規定する前後方向である。
【００１２】
また、本発明の留め具及び照明器具は、以下に説明する実施形態に限定されず、本発明の趣旨を逸脱しない範囲において種々の変形が可能である。
【００１３】
本実施形態に係る留め具１０は、図１及び図２に示すように、取付部材２０とフック３０とワイヤー５０とを備える。
【００１４】
取付部材２０は、金属板に折り曲げ加工を施すことにより、取付部材２０の前後方向から見て、角が直角なＵ字状に形成される（図４参照）。より詳細には、取付部材２０は、いずれも矩形平板状である第一の片２１と、第二の片２２と、第三の片２３とを含む。
【００１５】
第二の片２２は、第一の片２１の上下方向における第一の端縁（下側の端縁）の全域（境界４０）から、一の向き（右向き）へ延びて第一の片２１に垂直に設けられる。
【００１６】
第三の片２３は、第一の片２１の上下方向における第二の端縁（第二の片２２が設けられている上記第一の端縁とは反対側の外縁。上側の端縁）の全域（境界４１）から、右向きへ延びて第一の片２１に垂直に設けられる。また、第三の片２３は、ねじ止めのための貫通孔２６を有する。
【００１７】
境界４０は、第一の片２１と第二の片２２との折り曲げ部において、谷を形成する線分である。また、境界４１は、第一の片２１と第三の片２３との折り曲げ部において、谷を形成する線分である。
【００１８】
第一の片２１は、後述の変位部３１が開いた状態であるフック３０が通る孔２５を有しており、孔２５は前後方向に長い長角孔である。孔２５は、第一の片２１において、境界４０から、フック３０の変位部３１の変位量の最大の幅Ｗ１（図５参照）と同じ距離離れた位置までの範囲内に設けるのが好ましい。最大の幅Ｗ１については後述する。本実施形態では、より好ましい形態として、孔２５の下側の外縁を境界４０上に設ける。また、本実施形態では、取付部材２０の前後方向において、当該外縁は境界４０の略中央に位置する。
【００１９】
フック３０は、変位部３１と、フック定常部３２と、変形部３３とを備える。変位部３１、変形部３３、及びフック定常部３２は、この順で連続的に繋がっている。さらに、フック定常部３２は、変形部３３に繋がる側とは反対側の端に第一の先端３５を有する。変位部３１は、変形部３３に繋がる側とは反対側の端に第二の先端３６を有する。
【００２０】
フック３０は例えば金属板などを素材として弾性を有する形状に形成される。フック３０は、あたかも１本の薄く、長い平板形状の素材が折り曲げられて、幅方向（フック３０における幅Ｗ２の方向。すなわち、図２において紙面の奥行き方向。）から見て歪んだ円環を形成したような形状をしている。つまりフック３０は、図５に示すように、幅方向から見ると、８の字に近い形状をしている。具体的には、フック３０は、上記平板形状の素材が長手方向の第一の位置３０１及び第二の位置３０２で円弧曲面状に曲げられて折り返され、長手方向の両端が重ね合わせられ、さらに、第二の位置３０２からそれぞれ略等しい距離離れた第三の位置３０３及び第四の位置３０４を、第一の位置３０１及び第二の位置３０２が曲げられる向きとは逆向きに折り曲げられたような形状をしている。
【００２１】
また、フック３０は、第一の先端３５から第二の先端３６までの周方向の全ての領域において、幅Ｗ２が等しい。フック３０の幅Ｗ２は、孔２５の前後方向の幅Ｗ３よりも小さい。
【００２２】
第一の先端３５は、第二の先端３６よりもフック３０の外側に位置している。フック３０は、変位部３１に力が加わっていない状態では、フック定常部３２の第一の先端３５付近と変位部３１とが接触している。
【００２３】
フック３０は上述の構造であるため、内側に空間３９（図２参照）を有する。
【００２４】
変位部３１がフック３０の内側へ押圧されると、変形部３３が変形することにより、変位部３１がフック３０の内側へ向かって変位し、フック定常部３２の第一の先端３５付近と変位部３１との間に隙間が生じる。上記隙間から空間３９にワイヤー５０を通したり、あるいは、上記隙間を生じた後、フック３０の第一の先端３５を、取付部材２０の第一の片２１に設けられた孔２５（図２参照）に挿し込むことができる。
【００２５】
変位部３１に加わっている力が取り除かれると、変形部３３が弾性により元の形状に戻ろうとすることで、変位部３１がフック３０の外側へ向かって変位し、フック定常部３２の第一の先端３５付近と変位部３１とが再び接触する。これにより、空間３９に通されたワイヤー５０（図１参照）はフック３０に、外れないよう取付けられる。また、フック３０の第一の先端３５が孔２５へ挿し込まれた後、フック３０は取付部材２０に、外れないよう取付けられる。
【００２６】
ところで、図２，４に示すように、取付部材２０において、第一の片２１の孔２５の外縁から第二の片２２の外縁までの最短距離Ｌ１は、フック３０の長手方向の長さＬ２以下であることが好ましい。但し、第二の片２２の外縁とは、第二の片２２と第一の片２１とが繋がる部分を含まない。
【００２７】
最短距離Ｌ１は以下の条件を満たすことがより好ましい（図５参照）。幅方向と垂直な平面において、変位部３１が変位する前の、フック定常部３２の第一の先端３５付近と変位部３１とが接触した状態から、変位部３１が最大限変位するまでに変位部３１が描く形状を扇形２００とする。当該平面において、変位部３１が最大限変位したときの第二の先端３６の位置を端点２０８とする。そして、当該平面において、端点２０８を始点として、変位する前の変位部３１に対して垂直に伸びる半直線２０９を考える。ただし、半直線２０９は変位する前の変位部３１に対して反対の向きに無限長である。さらに、半直線２０９と、扇形２００の弧２０１と、フック定常部３２とで囲まれる平面２０２を考える。最短距離Ｌ１は、平面２０２において、変位する前の変位部３１の長手方向と同じ方向の最大長Ｗ４と、当該方向と垂直な方向の最大長Ｗ５と、のいずれか大きい方の長さ未満であることが好ましい。
【００２８】
なお、扇形２００は、厳密な扇形に限定されない。つまり扇形２００は、真円の２つの半径とそれらを結ぶ弧とのみで囲まれる形状に限定されず、実際に変位部３１が変位に伴って描く形状を指す。例えば、変位部３１の変位に伴って、変形部３３の変形により、変位部３１が描こうとする扇形の中心にあたる第三の位置３０３も変位し、変位部３１は厳密な扇形を描かない場合があるが、その場合に描く形状も扇形２００に含まれる。
【００２９】
また、フック３０は図５に示すような、変位部３１が最大限変位したときに変位部３１がフック定常部３２に接触しない構造に限定されない。フック３０は、変位部３１が最大限変位したときに変位部３１がフック定常部３２に接触する構造であってもよい。
【００３０】
また、フック３０の変位部３１の変位量の最大の幅Ｗ１とは、変位部３１が最大限変位したときの変位部３１（線分２０５）と、第一の先端３５との最短距離をいう。
【００３１】
図１に示すワイヤー５０は、例えばステンレスなどで形成されている。ワイヤー５０の第一端は、上記の通り、フック３０に取付けられている。ワイヤー５０の第二端は、後述の光源ユニット８１（図６Ａ参照）にねじ止めされている。例えば、留め具１０が２つ用いられる場合、２つのワイヤー５０の上記第二端は、光源ユニット８１の長手方向の両端付近にねじ止めされる（図６Ａ参照）。
【００３２】
次に、本実施形態に係る照明器具７０について図６Ａ，図６Ｂを参照しながら説明する。
【００３３】
照明器具７０は、器具本体８０と、光源ユニット８１（光源）と、２つの留め具１０とを備える。
【００３４】
器具本体８０は、亜鉛鋼板などの金属板により、長尺の直方体の箱形状に形成されており、長尺方向を含む下面が開口している。図６Ａ，図６Ｂにおいて、天井９０に接する面である器具本体８０の上面（器具本体天板８６）に向かい合う面が上記下面（器具本体開口部８７）である。器具本体８０は、金具を介して天井９０に固定されている。なお図６Ａ，図６Ｂにおいて、器具本体８０は器具本体天板８６に垂直な側面を透過して図示してある。
【００３５】
光源ユニット８１は、ＬＥＤ（発光ダイオード）モジュール（図示せず）と、上記ＬＥＤモジュールを支持する支持部材８２と、支持部材８２を内部に収納するケース８３とから構成される。
【００３６】
支持部材８２は、板金に曲げ加工を施すことで角樋状に形成される。より詳細には、支持部材８２は、底板８２１と、一対の側板８２２とを有する。底板８２１は、長尺矩形状であり、かつ天井９０と平行である。一対の側板８２２は、矩形状であり、底板８２１の長尺方向に沿った両辺から天井９０に向かって立ち上がり、底板８２１に垂直である。また、上記ＬＥＤモジュールは、支持部材８２の底板８２１の一部を切り起こすことで形成された爪によって底板８２１の外側（床側）面に取付けられる。
【００３７】
ケース８３は合成樹脂材料からなり、長尺の筒状に形成されており、長尺方向の両端面が開口している。上記両端面は略半円状であり、当該略半円の直線部分が天井９０側に位置する。つまり、ケース８３は天井９０側が平面である。ケース８３は取付具を介して支持部材８２に複数個所でねじ止めにより固定される。また、ケース８３は上記ＬＥＤモジュールから放射される光を透過する。
【００３８】
２つの留め具１０が備える２つの取付部材２０は、第三の片２３と器具本体天板８６とが夫々有する貫通孔２６，８９を介して、器具本体天板８６の長手方向の両端付近に１つずつ、ねじ止めにより固定される。また、各取付部材２０は、第一の片２１から第三の片２３が延びる向きが、取付部材２０から器具本体８０の長手方向の中央に向かう向きに沿うように、器具本体８０に取付けられる。
【００３９】
図６Ａに示すように光源ユニット８１と各留め具１０とが取付けられ、器具本体８０と各留め具１０とが取付けられた後、光源ユニット８１は器具本体８０にねじ止めにより固定される。
【００４０】
光源ユニット８１が器具本体８０から外れるとき、光源ユニット８１と器具本体８０とに取付けられた各留め具１０が光源ユニット８１を支持し、光源ユニット８１の落下を防止する。光源ユニット８１が器具本体８０から外れるときとは、例えば、光源ユニット８１や器具本体８０に振動が加えられた場合や、作業者が光源ユニット８１を器具本体８０から取り外す場合などをいう。
【００４１】
次に、本実施形態の留め具１０におけるフック３０を取付部材２０に取付ける方法について図１，２を参照しながら説明する。好ましい手順として、前もって、取付部材２０は器具本体天板８６に固定されており、また、器具本体８０は天井９０に取付けられており、さらに、ワイヤー５０は両端がそれぞれフック３０及び光源ユニット８１に取付けられているとする。なお、取付作業は、器具本体開口部８７から行われる。以下の説明は、図６Ａの状態に至るまでを示す。
【００４２】
作業者がフック３０を手に持ち、フック３０の幅方向を取付部材２０の境界４０と平行に向け、かつフック３０の第一の先端３５を境界４０に対して取付部材２０の第二の片２２の延びる方向とは反対側（矢印１００の左向きの側）に位置させる。その後にフック３０の変位部３１の外面を、第二の片２２の下面であって、孔２５に距離が近い部分に押し当てる。変位部３１は反作用により第二の片２２から圧力を受けて、変形部３３が変形することにより、変位部３１がフック３０の内側へ変位する。すなわち、フック定常部３２の第一の先端３５付近と変位部３１との間に隙間が生じる。このときフック３０と取付部材２０との位置関係は図１に示す通りとなる。すなわち、フック３０の第一の先端３５が取付部材２０の孔２５に向く。
【００４３】
続いて、変位部３１を第二の片２２に押し当て続けて変位部３１が第一の先端３５から離れた状態を保ったまま、フック３０を第二の片２２に平行に右向きへ移動させて、図２に示すように第一の先端３５を孔２５に挿し込む。
【００４４】
第一の先端３５を孔２５に挿し込んだ後、図２の状態よりもさらに、前後方向から見て第二の片２２がフック３０の内側に位置するまで、フック３０を右向きへ移動させる。その後、作業者がフック３０から手を離すと、変位部３１には押圧が掛からなくなるため、変形部３３の弾性により変位部３１がフック３０の外側へ向かって変位し、フック定常部３２の第一の先端３５付近と変位部３１とが再び接触する。
【００４５】
以上によりフック３０を取付部材２０に取付ける作業が完了する。
【００４６】
本実施形態に係る照明器具は、例えば、駅のプラットフォームの屋根など、照明器具に振動を受ける場所等に設置される。
【００４７】
上述のように、本実施形態に係る留め具１０は、フック３０と、取付部材２０とを備える。フック３０は、弾性により開閉するように変位する変位部３１を含む。取付部材２０には、フック３０が引っ掛けられる。取付部材２０は、第一の片２１と第二の片２２とを含む。第一の片２１は、変位部３１が開いた状態であるフック３０が通る孔２５を有する。第二の片２２は、第一の片２１に対して交差する向きに第一の片２１の先端から延びて設けられる。
【００４８】
本実施形態に係る留め具１０は上述のように構成されるので、フック３０を取付部材２０に取付ける作業において、作業者はフック３０を手に持ち、変位部３１を取付部材２０の第二の片２２に押し当てる圧力で、変位部３１を内側へ向かって変位することができる。そのため、取付部材２０が第二の片２２を含まず、手で直接変位部３１を押圧する場合と比較して作業者の手にかかる負担が小さく、しかも容易に変位部３１を変位することができる。
【００４９】
また、本実施形態に係る留め具１０において、孔２５は、第一の片２１において、第一の片２１と第二の片２２との境界４０から、フック３０の変位部３１の変位量の最大の幅Ｗ１と同じ距離離れた位置までの範囲内に設けられることが好ましい。
【００５０】
本実施形態に係る留め具１０は上述のように構成されるので、作業者は、取付部材２０の第二の片２２にフック３０の変位部３１を押し当てて変位部３１を変位した後は、フック３０を第二の片２２に沿って移動させるという簡易な操作で、第一の先端３５を孔２５に挿し込むことができる。なお、第一の先端３５を孔２５に挿し込むために必要な変位部３１の変位量を小さくするために、孔２５と境界４０との間の距離は小さいほど望ましい。
【００５１】
さらに好ましいのは、本実施形態に係る留め具１０において、孔２５は、第一の片２１において、第一の片２１と第二の片２２との境界４０に設けられることである。
【００５２】
本実施形態に係る留め具１０は上述のように構成され、第一の先端３５を孔２５に挿し込むために必要な変位部３１の変位量はより小さくなるので、フック３０を取付部材２０にさらに容易に取付けることができる。
【００５３】
また、本実施形態に係る留め具１０において、第一の片２１の孔２５の外縁から第二の片２２の外縁までの最短距離Ｌ１は、フック３０の長手方向の長さＬ２以下であることも好ましい。
【００５４】
本実施形態に係る留め具１０は上述のように構成され、作業者は、第一の先端３５を孔２５に挿し込んだ後、フック３０を第二の片２２に沿って移動させ、前後方向から見て第二の片２２がフック３０の内側に位置するまで移動させると、その後変位部３１は変形部３３の弾性により自ら変位して、フック定常部３２の第一の先端３５付近と変位部３１とが接触した状態となるので、容易にフック３０を、取付部材２０に外れないよう引っ掛けることが可能である。
【００５５】
かくして、本実施形態に係る留め具１０は、工具を使用せずとも、軽負担で、容易に取付けが可能であるという効果がある。
【００５６】
また、本実施形態に係る照明器具７０は、留め具１０と、光源ユニット８１（光源）と、光源ユニット８１が取付けられる器具本体８０とを備える。取付部材２０は、器具本体８０に取付けられており、フック３０は、光源ユニット８１に繋がっている。
【００５７】
本実施形態に係る照明器具７０は上述のように構成され、フック３０を取付部材２０に取付ける先述の作業に係る主要な動作が、フック３０を鉛直方向に移動することと水平方向に移動することという単純な動作である。そのため、器具本体開口部８７の幅が狭い場合及び器具本体８０内の空間が狭い場合であっても、先述の取付作業が行い易いという効果がある。
【００５８】
（実施形態２）
次に、本発明に係る実施形態２の留め具、及び、当該留め具を備える照明器具について、図面を用いて説明する。
【００５９】
本実施形態に係る留め具１０は図７及び図８に示すように、取付部材２０の形状において実施形態１に係る留め具１０と異なる。その他の点では、本実施形態は、実施形態１と同様であるので、説明を省略する。
【００６０】
実施形態１では先述の通り、取付部材２０は、金属板に折り曲げ加工を施すことにより、取付部材２０の前後方向から見て、角が直角なＵ字状に形成される。これに対し、本実施形態では、取付部材２０は、金属板に折り曲げ加工を施すことにより、取付部材２０の前後方向から見て、角が直角なＺ字状に形成される（図１０参照）。
【００６１】
そのため、本実施形態の取付部材２０は、第二の片２２に対して第三の片２３の形成される向きが、実施形態１の取付部材２０（図４参照）とは異なる。具体的には、本実施形態では、第三の片２３は、第一の片２１の上下方向における第二の端縁（第二の片２２が設けられている第一の端縁とは反対側の外縁。上側の端縁）の全域（境界４１）から、第二の片２２が延びる向きとは逆向き（左向き）へ延びて第一の片２１に垂直に設けられる。
【００６２】
以上の通りに構成した本実施形態の取付部材２０は、実施形態１の取付部材２０と同様にして、器具本体天板８６（図６Ａ，図６Ｂ参照）に取付け可能である。さらに、本実施形態のフック３０も、実施形態１のフック３０と同様の操作により、取付部材２０に取付けることが可能である。
【００６３】
（実施形態１，２の変形例）
実施形態１，２の変形例として、第一の片２１と第二の片２２との成す角や、第一の片２１と第三の片２３との成す角を適宜変更してもよい。
【００６４】
あるいは、金属板などを素材として弾性を有する形状に形成されるフック３０に代えて、例えばバネ弾性部分を有するフックを用いてもよい。
【００６５】
あるいは、取付部材２０の形状を例えば、実施形態１，２の取付部材２０から第三の片２３を欠いたＬ字状としてもよい。この場合、器具本体８０と取付部材２０とをねじ止めするための貫通孔は、第三の片２３ではなく、第一の片２１に設けられる。また、器具本体天板８６に対して垂直な面を、器具本体天板８６から器具本体開口部８７に向かう向きに突出するように設けて、器具本体天板８６と第一の片２１とをねじ止めするための貫通孔を当該面に設ける。
【００６６】
あるいは、実施形態１，２の取付部材２０から第三の片２３を欠いたＬ字状の取付部材２０を、器具本体天板８６と一体に形成してもよい。すなわち、器具本体天板８６に対して垂直な第一の片２１が、器具本体天板８６から器具本体開口部８７に向かう向きに突出するように設けられ、第二の片２２は、第一の片２１の上下方向における下側の端縁から、第一の片２１に対して垂直に延びる。
【００６７】
あるいは、第二の片２２は、第一の片２１の上下方向における第一の端縁（下側の端縁）の全域（境界４０）から、第一の片２１に垂直な両向き（右向き及び左向き）へ延びて設けられてもよい。
【００６８】
なお、照明器具７０は、１つの留め具１０を備えていてもよいし、３つ以上の留め具１０を備えていてもよい。すなわち、照明器具７０は、１または複数の留め具１０を備えていればよい。
【符号の説明】
【００６９】
１０  留め具
２０  取付部材
２１  第一の片
２２  第二の片
２５  孔
３０  フック
３１  変位部
４０  境界
７０  照明器具
８０  器具本体
８１  光源ユニット（光源）
Ｌ１  第一の片２１の孔２５の外縁から第二の片２２の外縁までの最短距離
Ｌ２  フック３０の長手方向の長さ
Ｗ１  変位部３１の変位量の最大の幅
【図１】
2017162744.tif 000003
【図２】
2017162744.tif 000004
【図３】
2017162744.tif 000005
【図４】
2017162744.tif 000006
【図５】
2017162744.tif 000007
【図６】
2017162744.tif 000008
【図７】
2017162744.tif 000009
【図８】
2017162744.tif 000010
【図９】
2017162744.tif 000011
【図１０】
2017162744.tif 000012